(57)【特許請求の範囲】
【請求項１】
コネクタハウジング（１０）内の、軸方向で摺動可能なコネクタケーブル（５）のための装置において、
コネクタハウジング（１０）に摺動エレメント（２５）が軸方向で摺動可能に設けられており、摺動エレメント（２５）内にコネクタケーブル（５）が固定されており、
摺動エレメント（２５）がロックアーム（２６）を有しており、ロックアーム（２６）がコネクタハウジング（１０）内に突入して、コネクタケーブル（５）に接続されているコネクタインサート（２０）に当接しており、かつ
コネクタインサート（２０）が、コネクタハウジング（１０）内に設けられた切欠き（１４）内で、軸方向で摺動可能に案内されており、コネクタハウジング（１０）を対応コネクタ（３５）に差し合わせる際に、コネクタインサート（２０）が、対応コネクタ（３５）により差込み方向とは逆向きに押圧されて、切欠き（１４）内を摺動し、ひいては摺動エレメント（２５）が、コネクタケーブル（５）と共にコネクタハウジング（１０）に対してやはり差込み方向とは逆向きに摺動する
ことを特徴とする、コネクタハウジング内の、軸方向で摺動可能なコネクタケーブルのための装置。
【請求項２】
摺動エレメント（２５）が、コネクタハウジング（１０）のケーブル側の端部に設けられた開口（１３）内に、ロックアーム（２６）に設けられた止めフック（２７）により保持されている、請求項１記載の装置。
【請求項３】
コネクタハウジング（１０）が、環状に延びるシールリング（１９）を備えたカラー（１１）を有しており、カラー（１１）に、摺動エレメント（２５）が軸方向で摺動可能に配置されている、請求項１または２記載の装置。
【請求項４】
コネクタハウジング（１０）と対応コネクタ（３）のフランジハウジング（３０）とが係止フック（１７，３１）により係止可能である、請求項１から３までのいずれか１項記載の装置。
【請求項５】
コネクタインサート（２０）が、コネクタハウジング（１０）内に支持されているばね（４０）により常に差込み方向で押圧される、請求項１から４までのいずれか１項記載の装置。
【請求項６】
コネクタハウジング（１０）のケーブル側の開口（１３）内に、ガイド溝（１３．１）が設けられており、ガイド溝（１３．１）内に、摺動エレメント（２５）がガイドレール（２８）により相対回動不能に保持されている、請求項１から５までのいずれか１項記載の装置。
【発明の詳細な説明】
【技術分野】
【０００１】
本発明は、コネクタインサートにおける軸方向で摺動可能なコネクタケーブルのための装置であって、コネクタインサートがコネクタハウジング内に摺動可能に配置されている形式のものに関する。
【背景技術】
【０００２】
この種のコネクタハウジングは、独自のコンタクト係止装置を備えた差込み接続器を産業上の環境でも使用するために必要とされる。
【０００３】
過差込み長さ（Ｕｅｂｅｒｓｔｅｃｋｕｎｇｓｌａｅｎｇｅ）の理由からまたは公差補償のために、直接コンタクトに配置された係止装置を有する差込み接続器が多数知られている。この係止はその際、差し込まれた状態での終端位置を保証する。差込み時、コンタクトペアはまとめられ、差込み接続器は圧縮ばねにより互いに保持される。ロックはその際、摺動可能な保持手段によりもたらされる。その際、差込み接続器ハウジングはコンタクト、ひいては接続されるケーブルに対して相対運動を行う。この摺動は差込み接続器の半分オープンな構造形式でのみ可能であり、埃および水による負荷のないオフィス分野では極めて一般的である。ただし、独自の係止装置およびシール輪郭を備えた付加的に保護するハウジングでもって、より高い保護等級が必要であるとき、コンタクトとコンタクト係止装置との間の相対運動はもはや不可能である。
【発明の開示】
【発明が解決しようとする課題】
【０００４】
それゆえ本発明の課題は、冒頭で述べた形式のコネクタハウジングを改良して、コネクタインサートが、接続されるケーブルと共に、差込み方向での摺動をコネクタハウジング内で実施することができるようにすることである。
【課題を解決するための手段】
【０００５】
上記課題を解決した本発明の構成によれば、コネクタハウジングに摺動エレメントが設けられており、摺動エレメント内にコネクタケーブルが固定されており、摺動エレメントがロックアームを有しており、ロックアームがコネクタハウジング内に向いており、ロックアーム間にコネクタインサートが保持されており、コネクタインサートがコネクタケーブルに接続されており、かつコネクタインサートが、コネクタハウジング内に設けられた切欠き内で、軸方向で摺動可能に案内されているようにした。
【０００６】
本発明の有利な構成は請求項２〜６に記載されている。
【発明の効果】
【０００７】
本発明により達成される利点は特に、コネクタハウジング内に、電気的なケーブルに接続されているコネクタインサートが配置されており、差込み接続器ハウジング内で、対応コネクタとの公差補償のための軸方向の相対運動を実施することができる、もしくは独自のコンタクト係止装置を備えた差込み接続器を受容することができる点にある。
【０００８】
その際、コネクタハウジングのケーブル側の端部には付設部が一体成形されており、付設部には、環状に延びるシールが溝内に配置されている。さらに、この付設部には摺動エレメントが被せ嵌められている。摺動エレメントは保持装置を有しており、保持装置は複数の舌片状のロックアームもしくはガイドレールから形成されている。ロックアームは、コネクタハウジングに設けられた開口に貫通係合し、そのために設けられたフックでもって開口の縁部に係止される。その結果、摺動エレメントは紛失不能に保持されている。その際、フックはロックフックに、所定の摺動ストロークがコネクタハウジングと摺動エレメントとの間で可能となるように配置されている。
【０００９】
同時に、２つのガイドレールは、コネクタハウジングのカラーに設けられた相応のガイド溝内で案内されており、ガイド溝は有利にはコネクタハウジングに対する摺動エレメントの回動を阻止する。
【００１０】
摺動エレメント内でケーブルシールおよび圧縮ねじにより固定される電気的なケーブルは今や所定の摺動ストロークの分だけコネクタハウジングに対して摺動可能であり、その際、コネクタハウジングのカラーおよび摺動エレメントにおける環状に延びるシールのシール作用に基づいて、有利には環境をシールするコネクタ外被が形成されており、同時に、電気的なケーブルのための高い引抜き力が維持される。
【００１１】
さらに、摺動スリーブのロックアーム間にはコネクタインサートが挿入されており、コネクタインサートは、コネクタハウジングの内壁に設けられた切欠き内に軸方向で摺動可能に保持されている。その際、有利にはコネクタインサートの摺動ストロークは摺動スリーブの摺動ストロークに一致する。
【００１２】
付加的に、コネクタインサートとコネクタハウジングとの間には、コネクタインサートを取り巻くばねが配置されていることができ、ばねは持続的にコネクタインサートを差込み方向で押圧する。コネクタハウジングが対応コネクタに差し込まれると、コネクタインサートは常に安定的に対応コネクタに向かって押圧される。
【００１３】
本発明の一実施例を図面に示し、以下に詳細に説明する。
【発明を実施するための最良の形態】
【００１４】
図１には断面図で、電気的なケーブル５の軸方向の摺動のための装置を備えたコネクタハウジング１０を有する差込み接続器１が示されている。コネクタハウジング１０は差込み側に、対応コネクタとの固定のための、一体成形された係止エレメントを有している。ケーブル側で、コネクタハウジング１０のカラー１１には、摺動エレメント２５が被せ嵌められている。摺動エレメントには複数のロックアーム２６が一体成形されている。ロックアーム２６は開口１３を通してコネクタハウジング１０内に突入する。複数のロックアームのうちの少なくとも２つのロックアームには、止めフック２７が設けられている。止めフック２７により、摺動エレメントはコネクタハウジングの背壁１２に紛失不能に保持されている。その際、フックは、摺動スリーブが所定のストロークＣの分だけコネクタハウジングに対して軸方向で摺動可能であるように配置されている。ロックアーム間には、一体成形部２２でもって、コネクタインサート２０が挿入されている。同時に、コネクタインサートは、コネクタハウジングの壁に設けられた切欠き内で案内される。その際、切欠き１４内での摺動ストロークＣは、摺動エレメントのために意図されている摺動ストロークＣに相当する一方、段部１１と摺動エレメントとの間の間隔Ｂはここでは意味をなさない。コネクタインサート２０とコネクタハウジング１０の背壁１２との間には、圧縮されたばね４０が、コネクタインサートの一体成形部２２およびロックアーム２６を取り巻くように配置されている。その結果、コネクタインサート２０は常に差込み方向で切欠き１４の下側のストッパ縁部１６に向かって押圧される。その際、ばね４０は選択的に使用されることができる。摺動エレメント２５はケーブル側でコネクタハウジング１０の段部１１に被せ嵌められている。その際、その中間室は、溝１８内を環状に延びるシール１９により環境影響に対してシールされている。摺動エレメント２５内には、個々の電気的な線路６を備えた電気的なケーブル５が、ケーブルシール４２内で案内されており、外部からねじ締め可能な圧縮ねじ（Ｄｒｕｃｋｓｃｈｒａｕｂｅ）４４により固定可能である。
【００１５】
図２は差込み接続器１０を、対応コネクタ３５に差し込んだ位置で示している。対応コネクタ３５はフランジハウジング３０内に配置されている。その際、両コネクタは、その都度互いに係止するフック１７，３１により形成される係止手段により互いに結合されている。側方に配置された両係止解除羽根３３を押し合わせるより、フック３１，１７は互いに解離され、差込み接続器１はフランジハウジング３０から引き抜かれることができる。ここでは差し込まれた状態で、両コネクタインサートがその圧着面２１，３６でもって正確に重なり合って位置していることが見て取れる。その際、上側のコネクタインサート２０は切欠き１４の上側のストッパ端部１５に、対応コネクタの圧着に基づき当て付けられている。ただし少なくとも、コネクタインサート２０はばね４０により下側の対応コネクタ３５に向かって押圧される。同時に、差込み接続器のケーブル側の端部に設けられた付設部と摺動スリーブとの間の拡大された間隔（Ａ）が認識可能である。それにより、何故電気的なケーブル５が差込み接続器内で所定のストロークの分だけ摺動可能でなければならないかは明らかである。
【００１６】
図３ａ，３ｂには、コネクタハウジングのケーブル側の端部が示されている。その際、ハウジングの差込み側の領域は省略もしくはカットされている。その際、図３ａは、コネクタハウジング１０と、コネクタハウジング１０から分離された摺動エレメント２５とを差込み側から見た図を示しており、図３ｂには、摺動エレメントとコネクタハウジングとをケーブル側から見た図が示されている。摺動エレメント２５は、スリーブ形状から張り出した４つのストリップ状の保持装置を有しており、そのうちの２つは、対向して配置され、延長されて形成され、かつロックアーム２６として形成された舌片であり、残りの２つは、ガイドレール２８として形成されたより短いストリップである。ガイドレール２８はその都度開口１３内のガイド溝１３．１内で案内されており、その結果、摺動エレメント２５は、圧縮ねじ４４がケーブル準備後に雄ねじ山２９上に螺合されるとき、相対回動不能にコネクタハウジングに保持されている。ガイドレールが、差込み接続器の、カラー１１により形成された延長部内に配置されているのに対し、ロックアーム２６は開口１３を貫通し、一体成形された止めフック２７により、止めフックが開口１３の縁部で背壁１２に当接するとき、開口からの摺動エレメントの脱落を阻止する。両ロックアーム２６間には、コネクタの組立て時、コネクタインサート２０の一体成形部２２が位置決めされている。その結果、ロックアームは常に拡開されたままである。
【図面の簡単な説明】
【００１７】
【図１】差し込まれていない位置にあるコネクタハウジングの断面図である。
【図２】差し込まれた位置にあるコネクタハウジングの断面図である。
【図３】コネクタハウジング端部と、コネクタハウジングに被せ嵌め可能な摺動エレメントとをそれぞれ異なる方向で見た図である。
【符号の説明】
【００１８】
１  差込み接続器
３  対応コネクタ
５  ケーブル
６  電気的な線路
１０  コネクタハウジング
１１  段部／カラー
１２  背壁
１３  開口（ケーブル側）
１３．１  ガイド溝
１４  切欠き
１５  上側のストッパ
１６  下側のストッパ
１７  係止フック
１８  溝
１９  環状に延びるシール
Ａ  間隔Ａ（大）
Ｂ  間隔Ｂ（小）
Ｃ  摺動ストローク
２０  コネクタインサート
２１  圧着面（差込み側）
２２  コネクタインサートに設けられた一体成形部
２５  摺動エレメント
２６  ロックアーム
２７  止めフック
２８  ガイドレール
２９  雄ねじ山
３０  フランジハウジング
３１  係止フック
３３  係止解除羽根
３５  コネクタインサート（対応コネクタ）
３６  圧着面（対応コネクタ）
４０  ばね
４２  ケーブルシール
４４  圧縮ねじ
【図１】
0004416780.tif 000002
【図２】
0004416780.tif 000003
【図３】
0004416780.tif 000004